(57)【要約】【課題】  マンホール施工時において、補強板を使用することにより、簡単・確実に施工することができると共に、後付・先付等、両方施工可能であるマンホール受枠川浮上り防止金具を提供する。【解決手段】  補強板に、マンホールふたを固定するアンカーボルトを挿入するアンカーボルト挿入孔を設けると共に、アンカーボルトの近傍位置に設ける少なくとも１本の補強ボルトを挿入する補強ボルト挿入孔を設けてなることを特徴とする。【選択図】図１
2007239428.tif 000002
【特許請求の範囲】
【請求項１】
補強板に、マンホールふたを固定するアンカーボルトを挿入するアンカーボルト挿入孔を設けると共に、アンカーボルトの近傍位置に設ける少なくとも１本の補強ボルトを挿入する補強ボルト挿入孔を設けてなることを特徴とするマンホール受枠用浮上り防止金具。
【請求項２】
補強板の中央に、アンカーボルト挿入孔を設けると共に、アンカーボルト挿入孔の両側に補強ボルト挿入孔を設けてなることを特徴とする請求項１記載のマンホール受枠用浮上り防止金具。
【請求項３】
補強板の一側に、アンカーボルト挿入孔を、他側に補強ボルト挿入孔を設けてなることを特徴とする請求項１記載のマンホール受枠用浮上り防止金具。
【発明の詳細な説明】
【技術分野】
【０００１】  本発明は、マンホール内の圧力の上昇によるマンホールふたの浮上りを防止するためのマンホール受枠用浮上り防止金具に関するものである。
【背景技術】
【０００２】  従来の技術として、現状の施工例について説明する。
図１０・１１に示すように、斜壁Ｓの上部にインサートＩを埋め込み、その上方に調整リングＴＲを施工し、アンカーボルトＡＢをインサート内に螺入し、調整モルタルＭを施工し、最後にマンホール受枠Ｕを設置し、アンカーボルトＡＢをナットＮａにて固定するものである。【０００３】  また、別の従来技術として、上方に開口する開口縁部を有するプレキャストコンクリート製の筒状のブロック本体と、前記ブロック本体の開口縁部に沿うように湾曲して当該開口縁部に埋設された複数のアンカーフレームと、ねじ込み方向が上下方向に揃うように前記アンカーフレームのそれぞれに固定されたアンカー部材とを備えていることを特徴とするマンホールブロックがある。（特許文献１参照）
【特許文献１】  特開２００５−１４６５７１号公報
【発明の開示】
【発明が解決しようとする課題】
【０００４】  下水道用のマンホールふたに関する規格として、日本下水道協会規格ＪＳＷＡＳ  Ｇ−４・２００５があり、これによると、マンホール内に発生する内圧に対して６０ｋＮ〜１０６ｋＮの荷重強さが必要との考えかたが示されている。斜壁に埋め込まれているインサートの引抜強度が６０ｋＮ〜１０６ｋＮ以下であれば、インサートは斜壁から離脱し、マンホールふたは浮上ることになる。
上記前者においては、インサートにねじ込まれたアンカーボルトのみで支持固定しているため、インサートの引抜強度のみで浮上りを防止しており、日本下水道協会規格に適合する受枠の浮上り防止金具の開発が望まれている。【０００５】  上記後者においては、マンホールの大きさに合わせてマンホールブロックを作成しなければならず、多大な在庫と費用が掛るものである。
また、先付けとしては使用できるが、後付けとしては使用できず、施工が限定される不合理がある。【０００６】  本発明は、上記のような問題点に鑑みなされたもので、その目的は、マンホール施工時において、補強板を使用することにより、簡単・確実に施工することができると共に、後付・先付等、両方施工可能であるマンホール受枠用浮上り防止金具を提供するものである。
【課題を解決するための手段】
【０００７】  本発明は上記目的を達成する手段として、補強板に、マンホールふたを固定するアンカーボルトを挿入するアンカーボルト挿入孔を設けると共に、アンカーボルトの近傍位置に設ける少なくとも１本の補強ボルトを挿入する補強ボルト挿入孔を設けてなる。
また、補強板の中央に、アンカーボルト挿入孔を設けると共に、アンカーボルト挿入孔の両側に補強ボルト挿入孔を設けてなる。
そして、補強板の一側に、アンカーボルト挿入孔を、他側に補強ボルト挿入孔を設けてなることを特徴とする。
【発明の効果】
【０００８】  発明の効果としては、以下のものである。
１）、補強板に、アンカーボルト挿入孔及び補強ボルト挿入孔を設けることにより、アンカーボルト及び補強ボルトを挿入し、固定することにより、簡単・確実に浮上りを防止することができる。
２）、補強板の中央にアンカーボルト挿入孔を、両側に補強ボルト挿入孔を設けることにより、３点支持にて強固に固定できる。
３）補強板の一側にアンカーボルト挿入孔を、他側に補強ボルト挿入孔を設けることにより、コストダウン効果と、補強効果を有するものである。
４）、先付および後付にも対応できるものであり、既築や新規の施工にも対応できる。
【発明の実施するための最良の形態】
【０００９】  つぎに、本発明の実施例について述べる。
マンホール受枠用浮上り防止金具１は、鋳鉄製等により補強リブ２ａを設ける共に、Ｒ状に形成した補強板本体２の中央に、アンカーボルト挿入孔３を設け、両側に補強ボルト挿入孔４・４を設けてなるものであり、アンカーボルト挿入孔３の下部にロックナットを収納する収納部３ａを設けてある。
【００１０】  上記マンホール受枠用浮上り防止金具１の使用例について述べる。
まず、すでに施工済の物件においては、斜壁Ｓ１に穴ＡＮをあけると共に、ボルト孔ＢＫをあけ、ホールインアンカーＨＡ・ＨＡを打ち込み、補強ボルトＨＢ・ＨＢを螺設する。
その後、収納部３ａの内にロックナットＲＮを収納すべくマンホール受枠用浮上り防止金具１のアンカーボルト挿入孔３及び補強ボルト挿入孔４・４に各々アンカーボルトＡＢ及び補強ボルトＨＢ・ＨＢを挿入し、ナットＮ１・Ｎ１にて固定し、補強を行うものである。
なお、マンホール内圧に対する強度は、最低６０ｋＮ〜最高１０６ｋＮとなるよう補強できるよう設定してなる。
【００１１】  つぎに、他の使用例について述べる。
新たに施工する場合においては、前記の施工と同様であるが、予め調整リングＴＲにマンホール受枠用浮上り防止金具１を収納する溝Ｍを加工してなるもので、アンカーＡＫを通常の異形鉄筋を使用してなるものである。
【００１２】  つづいて、他の実施例を説明する。
マンホール受枠用浮上り防止金具２１は、前記と同様な鋳鉄製等により補強リブ２２ａを設けると共に、Ｒ状に形成した補強板本体２２の一側にアンカーボルト挿入孔２３を設け、他側に補強ボルト挿入孔２４を設けてなるものであり、アンカーボルト挿入孔２３の下部にロックナットを収納する収納部２３ａを設けてある。
【００１３】  上記マンホール受枠用浮上り防止金具２１の使用例について述べる。
まず、すでに施工済の物件においては、鉄壁Ｓ２に穴ＡＮ１をあけると共にボルト孔ＢＫ１をあけ、ホールインアンカーＨＡ１を打ら込み、補助ボルトＨＢ１を螺設する。
その後、マンホール受枠用浮上り防止金具２１の収納部２３ａ内にロックナットＲＮ１を収納すべくアンカーボルト挿入孔２３にアンカーボルトＡＢ１を挿入すると同時に、補強ボルト挿入孔２４に補強ボルトＨＢ１を挿入し、ナットＮ２、ナットＮ３にて固定し、補強を行うものである。
【００１４】  上記各実施例において、補強板の形状は、同様な機能を有するものであれば特に限定しない。
【図面の簡単な説明】
【００１５】
【図１】本発明の第一実施例を示すマンホール受枠用浮上り防止金具の正面図。
【図２】本発明の第一実施例を示すマンホール受枠用浮上り防止金具の平面図。
【図３】本発明の第一実施例を示すマンホール受枠用浮上り防止金具の縦断側面図。
【図４】本発明の第一実施例を示すマンホール受枠用浮上り防止金具の一例の使用状態図。
【図５】本発明の第一実施例を示すマンホール受枠用浮上り防止金具の他例の使用状態図。
【図６】本発明の第二実施例を示すマンホール受枠用浮上り防止金具の平面図。
【図７】本発明の第二実施例を示すマンホール受枠用浮上り防止金具の正面図。
【図８】本発明の第二実施例を示すマンホール受枠用浮上り防止金具の縦断側面図。
【図９】本発明の第二実施例を示すマンホール受枠用浮上り防止金具の一例の使用状態図。
【図１０】従来例を示す要部の使用状態図。
【符号の説明】
【００１６】１−−−マンホール受枠用浮上り防止金具
２−−−補強板
２ａ−−補強リブ
３−−−アンカーボルト挿入孔
３ａ−−収納部
４−−−補強ボルト挿入孔
５−−−アンカー孔
ＡＢ−−アンカーボルト
Ｓ−−−斜壁
Ｉ−−−インサート
Ｍ−−−調整モルタル
ＡＮ−−穴
ＢＫ−−ボルト孔
ＨＡ−−ホールインアンカー
ＨＢ−−補強ボルト
ＲＮ−−ロックナット
Ｎ−−−ナット
ＴＲ−−調整リング
Ｍ−−−溝
ＡＫ−−アンカー
【図１】
2007239428.tif 000003
【図２】
2007239428.tif 000004
【図３】
2007239428.tif 000005
【図４】
2007239428.tif 000006
【図５】
2007239428.tif 000007
【図６】
2007239428.tif 000008
【図７】
2007239428.tif 000009
【図８】
2007239428.tif 000010
【図９】
2007239428.tif 000011
【図１０】
2007239428.tif 000012
【図１１】
2007239428.tif 000013
【手続補正書】
【提出日】平成18年4月26日(2006.4.26)
【手続補正１】
【補正対象書類名】明細書
【補正対象項目名】００１５
【補正方法】変更
【補正の内容】
【００１５】
【図１】本発明の第一実施例を示すマンホール受枠浮上り防止金具の正面図。
【図２】本発明の第一実施例を示すマンホール受枠浮上り防止金具の平面図。
【図３】本発明の第一実施例を示すマンホール受枠浮上り防止金具の縦断側面図。
【図４】本発明の第一実施例を示すマンホール受枠浮上り防止金具の一例の使用状態図。
【図５】本発明の第一実施例を示すマンホール受枠浮上り防止金具の他例の使用状態図。
【図６】本発明の第二実施例を示すマンホール受枠浮上り防止金具の平面図。
【図７】本発明の第二実施例を示すマンホール受枠浮上り防止金具の正面図。
【図８】本発明の第二実施例を示すマンホール受枠浮上り防止金具の縦断側面図。
【図９】本発明の第一実施例を示すマンホール受枠浮上り防止金具の一例の使用状態図。
【図１０】従来例を示す要部の使用状態図。
【図１１】従来例を示す要部の拡大使用状態図。